(57)【要約】      （修正有）【課題】ユーザの情動に応じて、適切なタイミングでコンテンツを配信する。【解決手段】コンテンツ配信制御システム１００は、携帯端末１とコンテンツ配信装置２とを備える。ここで、携帯端末１は、生体データを計測する計測手段１２と、計測した生体データから情動情報を生成し、該生成した情動情報をコンテンツ配信装置２へ送信する端末制御手段１３と、を備える。また、コンテンツ配信装置２は、携帯端末１から受信した情動情報に基づいて、コンテンツを携帯端末１に配信可能か否かを判定し、配信可能と判定した場合はコンテンツを携帯端末１に配信し、配信不可と判定した場合はコンテンツを配信しない、装置制御手段２２を備える、コンテンツ配信制御システム。【選択図】図１
2011129035.tif 000002
【特許請求の範囲】
【請求項１】
携帯端末とコンテンツ配信装置とを備えたコンテンツ配信制御システムであって、
前記携帯端末は、
生体データを計測する計測手段と、
前記計測した生体データから情動情報を生成し、該生成した情動情報を前記コンテンツ配信装置へ送信する端末制御手段と、を備え、
前記コンテンツ配信装置は、
前記携帯端末から受信した前記情動情報に基づいて、コンテンツを前記携帯端末に配信可能か否かを判定し、配信可能と判定した場合はコンテンツを前記携帯端末に配信し、配信不可と判定した場合はコンテンツを配信しない、装置制御手段を備える、
コンテンツ配信制御システム。
【請求項２】
前記コンテンツ配信装置は、複数のコンテンツを記憶するデータベースをさらに備え、
前記装置制御手段は、配信可能と判定した場合は、前記データベースからコンテンツを抽出して配信する、
請求項１記載のコンテンツ配信制御システム。
【請求項３】
前記データベースには、さらに、コンテンツに関する優先情報が記憶され、
前記端末制御手段は、前記コンテンツを処理する前の生体データと前記コンテンツを処理した後の生体データとから情動変化情報を生成して前記コンテンツ配信装置に送信し、
前記装置制御手段は、前記携帯端末から前記情動変化情報を受信した場合、前記受信した情動変化情報に基づき前記データベースの前記優先情報を更新する、
請求項２記載のコンテンツ配信制御システム。
【請求項４】
前記携帯端末は、さらに、前記携帯端末の位置情報を生成するための位置情報取得手段を備え、
前記データベースには、前記コンテンツが少なくとも１つのエリアに紐付けられて記憶され、
前記装置制御手段は、前記携帯端末から前記情動情報と前記位置情報とを受信した場合、前記受信した位置情報を含むエリアに紐付けられたコンテンツを前記データベースから抽出する、請求項２または３記載のコンテンツ配信制御システム。
【請求項５】
前記端末制御手段は、所定の間隔で前記情動情報を生成し、該生成した情動情報が前回生成した情動情報から変化した場合、前記生成した情動情報を前記コンテンツ配信装置へ送信する、請求項１乃至４のいずれか１項記載のコンテンツ配信制御システム。
【請求項６】
前記生体データは、生体インピーダンス、心拍数、血圧、発汗、音声、脳波、ホルモンのいずれか一つに関するデータを含み、
前記情動情報は、喜怒哀楽、幸、恐怖、嫌悪、苦痛、または、快・不快、好印象・悪印象、高活動状態・低活動状態などの心的状態を特定した情報である、
請求項１乃至５記載のコンテンツ配信制御システム。
【請求項７】
携帯端末から受信した情動情報に基づいて、コンテンツを前記携帯端末に配信可能か否かを判定し、配信可能と判定した場合はコンテンツを前記携帯端末に配信し、配信不可と判定した場合はコンテンツを配信しない、コンテンツ配信装置。
【請求項８】
携帯端末とコンテンツ配信装置とを用いたコンテンツ配信制御方法であって、
生体データを計測し、
前記計測した生体データから情動情報を生成し、
前記生成した情動情報に基づいてコンテンツを配信可能か否か判定し、
配信可能と判定した場合はコンテンツを前記コンテンツ配信装置から前記携帯端末に配信し、配信不可と判定した場合はコンテンツを配信しない、
コンテンツ配信制御方法。
【請求項９】
前記コンテンツ配信装置は、コンテンツに関する優先情報を記憶したデータベースを備え、
コンテンツを処理する前の生体データとコンテンツを処理した後の生体データとから情動変化情報を生成し、
前記情動変化情報を用いて前記優先情報を更新する、
請求項８記載のコンテンツ配信制御方法。
【請求項１０】
前記データベースには、前記コンテンツが少なくとも１つのエリアに紐付けて記憶され、
前記携帯端末の位置情報を生成し、
配信可能と判定した場合は、前記位置情報を含むエリアに紐付けられたコンテンツを前記データベースから抽出して送信する、
請求項８または９記載のコンテンツ配信制御方法。
【発明の詳細な説明】
【技術分野】
【０００１】
本発明は、ユーザが所持する携帯端末へコンテンツを配信する、コンテンツ配信制御システム、コンテンツ配信装置およびコンテンツ配信制御方法に関する。特に、ユーザの情動に応じて適宜コンテンツを配信するコンテンツ配信制御システム、コンテンツ配信装置およびコンテンツ配信制御方法に関する。
【背景技術】
【０００２】
コンテンツの配信システムとして、コンテンツの送信側で、ユーザの感情に対応したコンテンツを選択し、該選択したコンテンツをユーザへ配信するシステムがある。
【０００３】
例えば、特許文献１には、ユーザの音声からユーザの感情を分析し、分析結果に基づいて抽出した広告をユーザのパーソナルコンピュータに配信するシステムが開示されている。該システムは、ユーザがパーソナルコンピュータを用いてインターネットを介して通話している時に、ユーザの音声からユーザの感情を分析する。そして、分析結果に基づいてユーザの感情に適した広告を抽出し、ユーザのパーソナルコンピュータの画面に抽出した広告を表示する。
【０００４】
また、特許文献２には、ユーザの心体状況に適したコンテンツを抽出して配信するホームサーバが開示されている。該ホームサーバは、ユーザの端末からコンテンツの配信要求を受信した場合、ユーザ端末が測定したユーザの心拍数や体温、および、周囲の湿度等を分析して、心体状況を取得する。そして、ホームサーバは、取得した心体状況に適したコンテンツを抽出して、ユーザの端末へ配信する。
【先行技術文献】
【特許文献】
【０００５】
【特許文献１】特開２００８−１７０８２０号公報
【特許文献２】特開２００６−３５０４７６号公報
【発明の概要】
【発明が解決しようとする課題】
【０００６】
特許文献１のシステムにおいて、ユーザの感情の分析結果に基づいて広告を配信する場合、ユーザの気分が落ち込んでいる場合には、配信された広告が閲覧されずに放置または削除されしまう可能性が高い。
【０００７】
一方、特許文献２のホームサーバでは、ユーザの端末からコンテンツの配信要求を受けた時のみに、心体状況に応じてコンテンツを抽出して配信する。従って、ユーザの端末からのコンテンツの配信要求がない場合には、コンテンツは配信されない。
【０００８】
本発明は上記の問題に鑑みてなされたものであり、ユーザの情動に応じて、適切なタイミングでコンテンツを配信することが可能であり、配信したコンテンツがユーザに視聴されることなく放置または破棄されてしまう危険性の低い、コンテンツ配信制御システム、コンテンツ配信装置およびコンテンツ配信制御方法を提供することを目的とする。
【課題を解決するための手段】
【０００９】
上記目的を達成するために本発明に係るコンテンツ配信制御システムは、携帯端末とコンテンツ配信装置とを備える。ここで、携帯端末は、生体データを計測する計測手段と、計測した生体データから情動情報を生成し、該生成した情動情報をコンテンツ配信装置へ送信する端末制御手段と、を備える。また、コンテンツ配信装置は、携帯端末から受信した情動情報に基づいて、コンテンツを携帯端末に配信可能か否かを判定し、配信可能と判定した場合はコンテンツを携帯端末に配信し、配信不可と判定した場合はコンテンツを配信しない、装置制御手段を備える。
【００１０】
上記目的を達成するために本発明に係るコンテンツ配信装置は、携帯端末から受信した情動情報に基づいて、コンテンツを携帯端末に配信可能か否かを判定し、配信可能と判定した場合はコンテンツを携帯端末に配信し、配信不可と判定した場合はコンテンツを配信しない。
【００１１】
上記目的を達成するために本発明に係るコンテンツ配信制御方法は、携帯端末とコンテンツ配信装置とを用いる。該コンテンツ配信制御方法は、生体データを計測し、計測した生体データから情動情報を生成し、生成した情動情報に基づいてコンテンツを配信可能か否か判定する。そして、配信可能と判定した場合はコンテンツをコンテンツ配信装置から携帯端末に配信し、配信不可と判定した場合はコンテンツを配信しない。
【発明の効果】
【００１２】
本発明に係るコンテンツ配信制御システム、コンテンツ配信装置およびコンテンツ配信制御方法において、携帯端末はユーザの生体データを計測して、該生体データを用いて情動情報を生成する。そして、配信可能と判定した場合はコンテンツをコンテンツ配信装置から携帯端末に配信し、配信不可と判定した場合はコンテンツを配信しない。ユーザの気分が落ち込んでいる場合などにはコンテンツは配信されず、従って、ユーザの情動に応じて、適切なタイミングでコンテンツを配信することが可能であり、配信したコンテンツがユーザに視聴されることなく放置または破棄されてしまう危険性の低い、コンテンツ配信制御システム、コンテンツ配信装置およびコンテンツ配信制御方法を提供することができる。
【図面の簡単な説明】
【００１３】
【図１】本発明の第１の実施形態に係る、（ａ）コンテンツ配信制御システムの構成図、（ｂ）携帯端末のブロック図、（ｃ）コンテンツ配信装置のブロック図である。
【図２】生体データと情動情報との関連の一例を示すテーブル。
【図３】本発明の第１の実施形態に係るコンテンツ配信制御システムの動作の一例を示す流れ図である。
【図４】本発明の第２の実施形態に係るコンテンツ配信制御システムの構成図である。
【図５】（ａ）情動情報に関する情報の一例を示すテーブル、（ｂ）コンテンツ種に関する情報の一例を示すテーブル。
【図６】本発明の第２の実施形態に係るコンテンツ配信制御システムの動作を示す流れ図である。
【図７】本発明の第３の実施形態に係るコンテンツ配信制御システムの構成図である。
【図８】コンテンツ情報に関する情報の一例を示すテーブル。
【図９】本発明の第３の実施形態に係るコンテンツ配信制御システムの動作を示す流れ図である。
【発明を実施するための形態】
【００１４】
（第１の実施形態）
本発明の第１の実施形態に係るコンテンツ配信制御システムについて説明する。図１（ａ）に、本実施形態に係るコンテンツ配信制御システムの構成図を示す。また、図１（ｂ）に、本実施形態に係る携帯端末のブロック図を、図１（ｃ）に、本実施形態に係るコンテンツ配信装置のブロック図を示す。
【００１５】
図１（ａ）において、コンテンツ配信制御システム１００は、ユーザが携帯する携帯端末１と、携帯端末１へコンテンツを配信するコンテンツ配信装置２とから構成される。図１（ｂ）において、携帯端末１は、コンテンツ配信装置２と通信を行う通信手段１１と、ユーザの生体データを計測する計測手段１２と、計測した生体データから情動情報を生成し、通信手段１１を介してコンテンツ配信装置２へ送信する端末制御手段１３と、を備える。図１（ｃ）において、コンテンツ配信装置２は、携帯端末１と通信を行う通信手段２１と、携帯端末１から情動情報を受信した場合、該情動情報に基づいてコンテンツを携帯端末１に配信可能か否かを判定し、配信可能と判定した場合はコンテンツを携帯端末１に配信し、配信不可と判定した場合はコンテンツを携帯端末１に配信しない、装置制御手段２２と、を備える。
【００１６】
本実施形態において、携帯端末１の計測手段１２は、生体データとして、ユーザの生体インピーダンスや発汗、ホルモン、心拍数、血圧、体温、音声、脳波などを計測している。例えば、計測手段１２が携帯端末１の表面に配置された接触式センサの場合、ユーザが該センサに接触した時の電気特性の変化から、ユーザの生体インピーダンス、発汗および分泌されたホルモン等を計測する。また、計測手段１２が振動センサの場合は血管の振動から心拍数や血圧を、温度センサの場合は体温を、通話等に用いるレシーバの場合はユーザが発した音声の周波数や振幅等を、計測する。さらに、計測手段１２がシートの上に形成された電極の場合、該電極を頭部の皮膚（例えばこめかみ辺り）に貼り付けて脳波を計測する。ここで、脳波の計測結果は、近距離無線等により通信手段１１を介して端末制御手段１３に送信される。
【００１７】
また、本実施形態において、端末制御手段１３は、計測手段１２が計測した生体データから情動情報として「高活動状態」または「低活動状態」のいずれか一方を示す情報を生成する。生体データと情動情報との関連の一例を図２に示す。図２において、例えば、心拍数が平常範囲よりも高く、音声の周波数が平常範囲よりも高い場合、端末制御手段１３は「高活動状態」を示す情動情報を生成する。
【００１８】
一方、本実施形態に係るコンテンツ配信装置２の装置制御手段２２は、携帯端末１から受信した情動情報が「高活動状態」の場合、コンテンツを配信可能と判定し、複数のコンテンツの中から無作為にコンテンツを抽出して携帯端末１へ送信する。また、装置制御手段２２は、携帯端末１から受信した情動情報が「低活動状態」の場合、コンテンツを配信不可と判定して、そのまま処理を終了する。ここで、コンテンツ配信装置２から配信されるコンテンツには、音楽や映像、写真といったメディア系のコンテンツや、プログラムや、リコメンドなどの行動支援情報や、コンサートなどのイベント情報や、セールなどの広告情報などが含まれる。
【００１９】
次に、本実施形態に係るコンテンツ配信制御システム１００の動作について、図３を用いて説明する。本実施形態において、携帯端末１の計測手段１２は、所定の時間にユーザの生体データを計測し、端末制御手段１３へ送出する（Ｓ１０１）。本実施形態において、計測手段１２は毎日、６時、１２時および２０時にユーザの生体データを計測する。
【００２０】
端末制御手段１３は、計測手段１２から受け取った生体データから「高活動状態」または「低活動状態」のいずれか一方を示す情動情報を生成する（Ｓ１０２）。さらに、端末制御手段１３は、通信手段１１を用いて生成した情動情報をコンテンツ配信装置２へ送信する（Ｓ１０３）。
【００２１】
一方、コンテンツ配信装置２の通信手段２１は、携帯端末１から情動情報を受信した場合（Ｓ１０４）、受信した情動情報を装置制御手段２２へ送出する。装置制御手段２２は、情動情報が「高活動状態」または「低活動状態」のどちらを示すか確認する（Ｓ１０５）。装置制御手段２２は、情動情報が「高活動状態」を示す場合、配信するコンテンツを無作為に抽出し（Ｓ１０６）、抽出したコンテンツを、通信手段２１を介して携帯端末１へ配信する（Ｓ１０７）。携帯端末１は、通信手段１１を介してコンテンツをコンテンツ配信装置２から受信する（Ｓ１０８）。一方、Ｓ１０５において、情動情報が「低活動状態」を示す場合、装置制御手段２２はそのまま処理を終了する。
【００２２】
上記の実施形態では、携帯端末１が生体データから情動情報を生成してコンテンツ配信装置２へ送信したが、これに限定されない。携帯端末１からコンテンツ配信装置２へ生体データを送信し、コンテンツ配信装置２において生体データから情動情報を生成し、コンテンツの配信の可否を判定することもできる。
【００２３】
さらに、上記の実施形態では、ユーザの心拍数と音声の周波数の生体データから「高活動状態」または「低活動状態」の一方を示す情動情報を生成したがこれに限らない。計測手段１２が計測した生体データが、標準値よりも数十パーセント高い心拍数およびセロトニンの増加であった場合、「高活動状態」を示す情動情報を生成し、生体データが、標準値よりも数パーセント低い心拍数およびセロトニンの減少であった場合、「低活動状態」を示す情動情報を生成することもできる。また、予め、複数のユーザの計測データを収集して、その時のユーザの情動と関連付けたデータベースを構築しておくことにより、例えば、ユーザの心拍数、血圧（最高血圧値および最低血圧値）および音声の周波数等の計測データから「快」または「不快」を示す情動情報を生成する、或いは、体温、ホルモンおよび脳波等の計測結果から「好印象」または「悪印象」を示す情動情報を生成する、等もできる。
【００２４】
さらに、上記本実施形態では、装置制御手段２２は、複数のコンテンツの中から無作為に抽出して携帯端末１へ送信したがこれに限らない。例えば、最も新しいコンテンツを選択して配信する、或いは、配信回数の少ないコンテンツを抽出して配信することもできる。
【００２５】
以上のように、本実施形態に係るコンテンツ配信制御システム１００は、携帯端末１が計測したユーザの生体データから情動情報を生成し、該情動情報に基づいてコンテンツの配信可否を判定する。ユーザの気分が落ち込んでいる場合などにはコンテンツは配信されず、従って、適切なタイミングでコンテンツを配信することが可能であり、配信したコンテンツがユーザに視聴されることなく放置または破棄されてしまう危険性が低い、コンテンツ配信制御システム１００を提供することができる。
【００２６】
（第２の実施形態）
本発明の第２の実施形態に係るコンテンツ配信制御システムについて説明する。図４に、本実施形態に係るコンテンツ配信制御システムの構成図を示す。図４において、コンテンツ配信制御システム１００Ｂは、ユーザが携帯する携帯端末１Ｂと、携帯端末１Ｂへコンテンツを配信するコンテンツ配信装置２Ｂとから構成される。
【００２７】
携帯端末１Ｂは、ユーザが携帯する携帯電話機やＰＤＡ（Personal Digital Assistant）、携帯型ゲーム機等の可搬端末であり、通信手段１１Ｂと計測手段１２と端末制御手段１３Ｂとコンテンツ処理手段１４とを備える。
【００２８】
本実施形態において、通信手段１１Ｂは、図示しない無線ＬＡＮやインターネット網等を介してコンテンツ配信装置２Ｂと通信を行う。計測手段１２は、第１の実施形態で説明した計測手段１２と同様であり、詳細な説明を省略する。
【００２９】
端末制御手段１３Ｂは、計測手段１２が計測した生体データから情動情報を生成し、通信手段１１Ｂを介してコンテンツ配信装置２Ｂへ送信する。本実施形態において、端末制御手段１３Ｂは、情動情報として、喜怒哀楽、幸、恐怖、嫌悪、苦痛などのユーザの心的状態を示す情動情報を生成する。さらに、本実施形態において、端末制御手段１３Ｂは、コンテンツ配信装置２Ｂからコンテンツと後述する配信ＩＤとを受信した場合、情動変化情報を生成し、該情動変化情報と配信ＩＤとをコンテンツ配信装置２Ｂへ返信する。ここで、情動情報とは、コンテンツの処理前後でユーザの情動がどのように変化したかを示す情報である。本実施形態において、端末制御手段１３Ｂは、コンテンツ処理前後でユーザの情動がプラス思考側に変化した場合に「＋１」の情動変化情報を、マイナス思考側に変化した場合に「−１」の情動変化情報を、特に変化しなかった場合に「０」の情動変化情報を生成する。例えば、コンテンツ処理前後でユーザの情動が「哀」から「楽」へと変化した場合は「＋１」を、「喜」から「苦痛」に変化した場合は「−１」を、ユーザの情動が変化しない場合や「喜」から「幸」へと変化した場合は「０」を示す情動情報を生成する。
【００３０】
コンテンツ処理手段１４は、コンテンツ配信装置２Ｂから配信されたコンテンツを処理する。例えば、コンテンツ処理手段１４は、受信したコンテンツが静止画像の場合、図示しないディスプレイに画像を表示する。また、受信したコンテンツがメロディの場合、図示しないスピーカから該メロディを出力する。
【００３１】
次に、コンテンツ配信装置２Ｂについて説明する。コンテンツ配信装置２Ｂは、サーバやパーソナルコンピュータ等であり、図４に示すように、通信手段２１Ｂと装置制御手段２２Ｂとデータベース２３とを備える。通信手段２１Ｂは、図示しない無線ＬＡＮやインターネット網等を介して携帯端末１Ｂと通信を行う。
【００３２】
データベース２３には、配信可または配信不可のいずれか一方が紐付けられた複数の情動情報と、優先度や複数のコンテンツ等が関連付けられた複数のコンテンツ種と、が登録されている。ここで、コンテツ種は各コンテンツをその特徴で分類したものであり、音楽（クラシック）、音楽（ポップス）、映像（コメディー）等である。また、優先度はコンテンツを配信することによって携帯端末１Ｂから返信された情動変化情報（＋１、０、−１のいずれか）の累計値である。なお、優先度が請求項の優先情報に該当する。さらに、本実施形態において、データベース２３には、配信したコンテンツが属するコンテンツ種に紐付けられて、配信ＩＤが一時的に記憶される。
【００３３】
データベース２３に記憶された情動情報の一例を図５（ａ）に、コンテンツ種に関する情報の一例を図５（ｂ）に示す。図５（ａ）において、喜怒哀楽などの各情動情報には、配信可または配信不可のいずれか一方が紐付けられている。また、図５（ｂ）において、コンテンツ種ごとに、優先度と最新配信日時と配信回数と該当コンテンツとが記憶されている。優先度は上述のように、情動変化情報の累計値である。また、最新配信日時はコンテンツ種に属するファイルの最終配信日時、配信回数は最近半年間において該コンテンツ種に属するファイルが配信された累積回数である。また、図５（ｂ）において、コンテンツの欄には各コンテンツ種に属するコンテンツのファイル番号を示した。
【００３４】
装置制御手段２２Ｂは、携帯端末１Ｂから情動情報を受信した場合、該情動情報に基づいてコンテンツが配信可能か否かを判定する。そして、配信可能である場合、データベース２３に記憶された優先度、最新配信日時および配信回数に基づき、携帯端末１Ｂに配信するコンテンツ種を決定し、該決定したコンテンツ種に属するコンテンツを配信するコンテンツとして抽出する。
【００３５】
さらに、装置制御手段２２Ｂは、配信ＩＤを生成する。ここで、配信ＩＤは、配信したコンテンツが属するコンテンツ種を一時的に記憶しておくためのＩＤである。本実施形態では、配信ＩＤとしてコンテンツ種を決定した時間を用いる。例えば、２００９年１２月２０日１７時１５分３８秒にコンテンツ種を決定した場合、配信ＩＤは「２００９１２２０１７１５３８」となる。なお、コンテンツ配信装置２Ｂが複数の携帯端末（ユーザ）へコンテンツを配信する場合は、配信ＩＤにコンテンツを配信する携帯端末（ユーザ）の識別情報を含めることが望ましい。
【００３６】
さらに、装置制御手段２２Ｂは、抽出したコンテンツと生成した配信ＩＤとを携帯端末１Ｂへ配信するとともに、生成した配信ＩＤを配信したコンテンツが属するコンテンツ種に紐付けてデータベース２３に記憶する。
【００３７】
また、装置制御手段２２Ｂは、携帯端末１Ｂから情動変化情報と配信ＩＤとが返信された場合、データベース２３を更新する。本実施形態において、装置制御手段２２Ｂは、携帯端末１Ｂから情動変化情報と配信ＩＤとが返信された場合、配信ＩＤに対応するコンテンツ種を特定して、該コンテンツ種に紐付けられた優先度に、受信した情動変化情報（＋１、０、−１）を加える。前述のように、情動変化情報はコンテンツ処理前後で情動情報がプラス思考側に変化した場合は「＋１」が、マイナス思考側に変化した場合は「−１」が生成される。従って、優先度が大きいコンテンツ種を優先的に選択することにより、ユーザの情動がプラス思考側に変化しやすいコンテンツ種に属するコンテンツが頻繁に抽出されて携帯端末１Ｂに配信される。
【００３８】
次に、本実施形態に係るコンテンツ配信制御システム１００Ｂの動作について、図６を用いて説明する。図６において、携帯端末１Ｂの端末制御手段１３Ｂは、計測手段１２が所定の時間に計測した生体データから情動情報を生成し（Ｓ２０１）、生成した情動情報をコンテンツ配信装置２Ｂへ送信する（Ｓ２０２）。
【００３９】
コンテンツ配信装置２Ｂの装置制御手段２２Ｂは、情動情報を受信した場合（Ｓ２０３）、データベース２３を参照して、受信した情動情報に基づいてコンテンツが配信可能であるか否か判定する（Ｓ２０４）。そして、配信可能である場合（Ｓ２０４のＹＥＳ）、データベース２３に記憶された優先度、最新配信日時および配信回数に基づき、携帯端末１Ｂに配信するコンテンツ種を決定して、コンテンツを抽出する（Ｓ２０５）。本実施形態において、装置制御手段２２Ｂは、最近１ヶ月以内にコンテンツが配信されていないコンテンツ種から所定数のコンテンツ種を優先度が高い順に選択し、その中で配信回数の最も少ないコンテンツ種を、配信するコンテンツが属するコンテンツ種として決定する。
【００４０】
また、装置制御手段２２Ｂは、コンテンツ種を決定した時間を用いて配信ＩＤを生成し（Ｓ２０６）、抽出したコンテンツと生成した配信ＩＤとを携帯端末１Ｂへ配信する（Ｓ２０７）。また、装置制御手段２２Ｂは、生成した配信ＩＤを、配信したコンテンツが属するコンテンツ種に紐つけて、データベース２３に記憶する（Ｓ２０８）。一方、装置制御手段２２Ｂは、Ｓ２０４において、配信不可能と判定した場合（Ｓ２０４のＮＯ）、処理を終了する。
【００４１】
携帯端末１Ｂの通信手段１１Ｂは、コンテンツ配信装置２Ｂからコンテンツと配信ＩＤとを受信した場合（Ｓ２０９）、それらを端末制御手段１３Ｂへ送出する。端末制御手段１３Ｂは、配信ＩＤを受け取った場合、計測手段１２に計測指示通知を送出する。計測手段１２は、計測指示通知に基づいてユーザの生体データを計測し、コンテンツ処理前の生体データとして端末制御手段１３Ｂへ送出する（Ｓ２１０）。
【００４２】
端末制御手段１３Ｂは、コンテンツ処理前の生体データを受け取った後、コンテンツをコンテンツ処理手段１４へ送出する。コンテンツ処理手段１４は、受け取ったコンテンツを適切に処理し（Ｓ２１１）、処理が終了したら、端末制御手段１３Ｂへ処理終了通知を送出する。端末制御手段１３Ｂは、処理終了通知を受け取ることにより、再度、計測手段１２に計測指示通知を送出し、計測手段１２からコンテンツ処理後のユーザの生体データを得る（Ｓ２１２）。
【００４３】
さらに、端末制御手段１３Ｂは、コンテンツ処理前の生体データとコンテンツ処理後の生体データとから「＋１」、「０」、「−１」のいずれかを示す情動変化情報を生成し（Ｓ２１３）、生成した情動変化情報に配信ＩＤを付加してコンテンツ配信装置２Ｂへ返信する（Ｓ２１４）。
【００４４】
コンテンツ配信装置２Ｂの通信手段２１Ｂは、携帯端末１Ｂから情動変化情報と配信ＩＤとを受信した場合（Ｓ２１５）、それらを装置制御手段２２Ｂへ送出する。装置制御手段２２Ｂは、受け取った配信ＩＤを用いてデータベース２３からコンテンツ種を特定し、特定したコンテンツ種の優先度に情動変化情報（＋１、０、−１）を加えることによりデータベース２３を更新する（Ｓ２１６）。
【００４５】
以上のように、本実施形態に係るコンテンツ配信制御システム１００Ｂは、携帯端末１Ｂが生成した情動情報に基づいてコンテンツの配信可否を判定する。ユーザの気分が落ち込んでいる場合などにはコンテンツは配信されず、従って、配信したコンテンツがユーザに視聴されることなく放置または破棄されてしまう危険性を低くすることができる。
【００４６】
さらに、本実施形態に係るコンテンツ配信制御システム１００Ｂのコンテンツ配信装置２Ｂは、優先度等を考慮して、携帯端末１Ｂに配信するコンテンツ種を決定し、該決定したコンテンツ種に属するコンテンツを抽出する。優先度は、コンテンツ処理前の生体データとコンテンツ処理後の生体データとから生成した情動変化情報に基づいて更新されることから、ユーザが不快に感じるコンテンツ種に属するコンテンツが、頻繁にユーザに配信されるのを避けることができ、ユーザにより適したコンテンツを配信することができる。
【００４７】
（第３の実施形態）
本発明の第３の実施形態に係るコンテンツ配信制御システムについて説明する。図７に、本実施形態に係るコンテンツ配信制御システムの構成図を示す。図７において、本実施形態に係るコンテンツ配信制御システム１００Ｃは、携帯端末１Ｃとコンテンツ配信装置２Ｃとから構成される。
【００４８】
携帯端末１Ｃは、通信手段１１Ｃと計測手段１２と端末制御手段１３Ｃとコンテンツ処理手段１４と入力手段１５と位置情報取得手段１６とを備える。通信手段１１Ｃは、図示しない無線ＬＡＮやインターネット網等を介してコンテンツ配信装置２Ｃと通信を行う。計測手段１２は、第１の実施形態で説明した計測手段１２と同様である。なお、本実施形態において、計測手段１２はユーザが設定した計測間隔でユーザの生体データを計測する。
【００４９】
端末制御手段１３Ｃは、生体データから情動情報を生成し、生成した情動情報が前回生成した情動情報から変化した場合、位置情報取得手段１６へ位置情報取得通知を送信することにより、位置情報を取得する。そして、生成した情動情報と取得した位置情報とをコンテンツ配信装置２Ｃへ送信する。
【００５０】
コンテンツ処理手段１４は第２の実施形態で説明したコンテンツ処理手段１４と同様であり、詳細な説明は省略する。入力手段１５は、ユーザからの各種入力を受け付ける。本実施形態において、入力手段１５は、生体データを計測する間隔を示す間隔設定情報をユーザから受け付ける。位置情報取得手段１６は、端末制御手段１３Ｃから位置情報取得通知を受けた場合、基地局、外部のサーバ、ＧＰＳ衛星等から携帯端末１Ｃの位置に関する情報を取得する。本実施形態において、位置情報取得手段１６は、ＧＰＳ衛星から位置に関するデータ等を受信することにより携帯端末１Ｃの位置情報を取得する。
【００５１】
一方、図７において、コンテンツ配信装置２Ｃは、通信手段２１Ｃと装置制御手段２２Ｃとデータベース２３Ｃとを備える。通信手段２１Ｃは、図示しない無線ＬＡＮやインターネット網等を介して携帯端末１Ｃと通信を行う。データベース２３Ｃには、配信可または配信不可のいずれか一方が紐付けられた複数の情動情報と、少なくとも一つのエリアに関連付けられた複数のコンテンツとが、記憶されている。ここで、データベース２３Ｃに記憶されている情動情報は第２の実施形態で説明した図５（ａ）と同様である。一方、データベース２３Ｃに記憶されているコンテンツ情報の一例を図８に示す。図８において、各コンテンツには、少なくとも１つの対応エリアが登録されている。例えば、ファイル名が「ｆｃ３０００４」のコンテンツには、エリアｈｍとエリアｈｎが設定されている。
【００５２】
装置制御手段２２Ｃは、携帯端末１Ｃから情動情報と位置情報とを受信した場合、受信した情動情報に基づいてコンテンツが配信可能か否かを判定する。そして、配信可能と判定した場合、データベース２３Ｃを検索して、受信した位置情報を含むエリアに関連付けられた複数のコンテンツから１つのコンテンツを無作為に抽出して、携帯端末１Ｃに配信する。例えば、携帯端末１Ｃから受信した位置情報がエリアｈｍに含まれている場合、装置制御手段２２Ｃは、データベース２３Ｃにおいて対応エリア「ｈｍ」の欄に○が付いているコンテンツの中からコンテンツを抽出する。一方、配信不可能と判定した場合は、そのまま処理を終了する。
【００５３】
次に、本実施形態に係るコンテンツ配信制御システム１００Ｃの動作について、図９を用いて説明する。図９において、携帯端末１Ｃの計測手段１２は、ユーザが入力手段１５を用いて指定した間隔でユーザの生体データを計測して、端末制御手段１３Ｃへ送出する（Ｓ３０１）。本実施形態において、計測手段１２は、昼間は３０分ごとに、夜間は２時間ごとに、ユーザの生体データを計測して端末制御手段１３Ｃへ送出する。端末制御手段１３Ｃは、計測手段１２から受け取った生体データから情動情報を生成し（Ｓ３０２）、新たに生成した情動情報が前回生成した情動情報から変化したか否か判定する（Ｓ３０３）。なお、本実施形態において、端末制御手段１３Ｃは、情動情報として喜怒哀楽、幸、恐怖、嫌悪、苦痛などのユーザの心的状態を示す情動情報を生成する。
【００５４】
端末制御手段１３Ｃは、新たに生成した情動情報が前回生成した情動情報から変化したと判定した場合（Ｓ３０３のＹＥＳ）、位置情報取得手段１６へ位置情報取得通知を送信する。位置情報取得手段１６は位置情報取得通知を受信した場合、ＧＰＳ衛星から位置に関するデータを受信することにより、携帯端末１Ｃの位置情報を取得し、取得した位置情報を端末制御手段１３Ｃへ送出する（Ｓ３０４）。端末制御手段１３Ｃは、通信手段１１Ｃを用いて、新しく生成した情動情報と取得した位置情報とをコンテンツ配信装置２Ｃへ送信する（Ｓ３０５）。
【００５５】
一方、コンテンツ配信装置２Ｃの通信手段２１Ｃは、携帯端末１Ｃから情動情報と位置情報とを受信した場合（Ｓ３０６）、装置制御手段２２Ｃへ送出する。装置制御手段２２Ｃは、データベース２３Ｃを参照して、情動情報に基づきコンテンツが配信可能であるか否かを判定する（Ｓ３０７）。そして、装置制御手段２２Ｃは、配信可能であると判定した場合（Ｓ３０７のＹＥＳ）、データベース２３Ｃの中から、受信した位置情報が含まれるエリアに関連付けられたコンテンツを無作為に抽出して（Ｓ３０８）、通信手段２１Ｃを介して携帯端末１Ｃへ配信する（Ｓ３０９）。例えば、位置情報が建物や地下の特定のフロアを示す時には、該フロアの案内情報等のコンテンツが配信される。また、位置情報が観光地に含まれる場合、該観光地の特産品に関する広告情報等のコンテンツが配信される。なお、Ｓ３０７において配信不可能と判定した場合（Ｓ３０７のＮＯ）、装置制御手段２２Ｃはそのまま処理を終了する。
【００５６】
一方、携帯端末１Ｃの通信手段１１Ｃは、コンテンツを受信した場合（Ｓ３１０）、受信したコンテンツを、端末制御手段１３Ｃを介してコンテンツ処理手段１４へ送出する。コンテンツ処理手段１４は、受け取ったコンテンツを適切に処理する（Ｓ３１１）。
【００５７】
なお、上記の実施形態では、携帯端末１Ｃが生体データから情動情報を生成してコンテンツ配信装置２Ｃへ送信しが、これに限定されない。携帯端末１Ｃからコンテンツ配信装置２Ｃへ生体データを送信し、コンテンツ配信装置２Ｃにおいて生体データから情動情報を生成し、新たに生成した情動情報が前回生成した情動情報から変化した場合に、コンテンツを抽出して、携帯端末１Ｃへ配信することもできる。
【００５８】
さらに、上記の実施形態では、情動情報が変化したか否かを判定する間隔を設定するための間隔設定情報を、携帯端末１Ｃの入力手段１５を用いてユーザが入力したが、これに限定されない。例えば、コンテンツ配信装置２Ｃの装置制御手段２２Ｃが、コンテンツの配信状況に応じて間隔設定情報を生成することもできる。この場合、装置制御手段２２Ｃが生成した間隔設定情報を携帯端末１Ｃへ送信し、携帯端末１Ｃは、受信した間隔設定情報に基づいて生体データを計測する間隔を変更する。なお、ユーザの情動が変化することが少ない時間帯は生体データの計測間隔を長くすることにより、携帯端末１Ｃの消費電力を低くすることができる。
【００５９】
また、上記の実施形態では、装置制御手段２２Ｃは配信するコンテンツを、位置情報を含むエリアに関連付けられたコンテンツの中から無作為に抽出したが、これに限定されない。例えば、各コンテンツに少なくとも喜怒哀楽、幸、恐怖、嫌悪、苦痛などの情動情報を登録しておき、受信した情動情報と一致する情動情報が登録されたコンテンツを優先的に抽出することもできる。
【００６０】
さらに、本実施形態と第２の実施形態とを組み合わせることもできる。この場合、データベース２３Ｃにおいて、コンテンツごとに優先度を登録しておき、コンテンツの処理前後のユーザの情動の変化に応じて該優先度を更新する。
【００６１】
以上のように、本実施形態に係るコンテンツ配信制御システム１００Ｃは、情動情報に基づいてコンテンツが配信可能か否かを判定し、配信可能である場合にのみコンテンツを携帯端末１Ｃへ配信する。従って、配信したコンテンツがユーザに視聴されることなく放置または破棄されてしまう危険性を低くすることができる。また、ユーザの情動情報が変化した時に、情動情報に関連付けられているコンテンツを携帯端末１Ｃへ配信することから、ユーザの情動の変化に応じて、速やかにコンテンツを配信することができる。
【００６２】
また、本実施形態に係るコンテンツ配信制御システム１００Ｃは、携帯端末１Ｃが位置情報を取得してコンテンツ配信装置２Ｃへ送信することにより、コンテンツ配信装置２Ｃは、ユーザが居る位置を考慮して最適なコンテンツを抽出して配信することができる。従って、ユーザにとって、より利用価値が高いコンテンツを配信することができる。
【符号の説明】
【００６３】
１、１Ｂ、１Ｃ  携帯端末
２、２Ｂ、２Ｃ  コンテンツ配信装置
１１、１１Ｂ、１１Ｃ  通信手段
１２  計測手段
１３、１３Ｂ、１３Ｃ  端末制御手段
１４  コンテンツ処理手段
１５  入力手段
１６  位置情報取得手段
２１、２１Ｂ、２１Ｃ  通信手段
２２、２２Ｂ、２２Ｃ  装置制御手段
２３、２３Ｃ  データベース
１００、１００Ｂ、１００Ｃ  コンテンツ配信制御システム
【図１】
2011129035.tif 000003
【図２】
2011129035.tif 000004
【図３】
2011129035.tif 000005
【図４】
2011129035.tif 000006
【図５】
2011129035.tif 000007
【図６】
2011129035.tif 000008
【図７】
2011129035.tif 000009
【図８】
2011129035.tif 000010
【図９】
2011129035.tif 000011